(57)【要約】【課題】口座名義人が指定する者がインターネット上で口座名義人の口座の入出金明細・残高を閲覧する。【解決手段】口座名義人が指定する者が口座の入出金明細・残高を照会することを求める要求データを、照会者端末から受信する照会要求取得部と、前記口座名義人が指定する者が前記口座の入出金明細・残高を照会することが可能であるか否かを判定する照会可否判定部と、前記照会が可能であると判定されると、前記口座の入出金明細・残高を示すデータを、前記照会者端末へ送信する提示部と、を備える。【選択図】図３
2020129249.tif 000002
【特許請求の範囲】
【請求項１】
口座名義人が指定する者が口座の入出金明細・残高を照会することを求める要求データを、照会者端末から受信する照会要求取得部と、
前記口座名義人が指定する者が前記口座の入出金明細・残高を照会することが可能であるか否かを判定する照会可否判定部と、
前記照会が可能であると判定されると、前記口座の入出金明細・残高を示すデータを、前記照会者端末へ送信する提示部と
を備えた口座管理装置。
【請求項２】
家族ごとに、前記家族を構成する者がそれぞれ所有する口座を管理する家族情報管理部をさらに備えた、請求項１に記載の口座管理装置。
【請求項３】
前記提示部は、前記口座名義人の口座の入出金明細・残高を照会することが可能である家族の情報と、前記口座名義人が入出金明細・残高を照会することが可能である口座の情報と、を含む画面を表示する、請求項２に記載の口座管理装置。
【請求項４】
口座名義人端末からの要求に応じて、前記口座名義人が指定する者が前記口座名義人の口座の入出金明細・残高を照会できるようにするための登録処理を実行する口座登録部をさらに備えた、請求項１から３のいずれか一項に記載の口座管理装置。
【請求項５】
前記口座名義人端末または前記照会者端末からの要求に応じて、前記口座名義人が指定する者が前記口座名義人の口座の入出金明細・残高を照会できないようにするための解除処理を実行する口座解除部をさらに備えた、請求項４に記載の口座管理装置。
【請求項６】
口座管理装置が実行する方法であって、
口座名義人が指定する者が口座の入出金明細・残高を照会することを求める要求データを、照会者端末から受信するステップと、
前記口座名義人が指定する者が前記口座の入出金明細・残高を照会することが可能であるか否かを判定するステップと、
前記照会が可能であると判定されると、前記口座の入出金明細・残高を示すデータを、前記照会者端末へ送信するステップと
を含む方法。
【請求項７】
コンピュータを
口座名義人が指定する者が口座の入出金明細・残高を照会することを求める要求データを、照会者端末から受信する照会要求取得部、
前記口座名義人が指定する者が前記口座の入出金明細・残高を照会することが可能であるか否かを判定する照会可否判定部、
前記照会が可能であると判定されると、前記口座の入出金明細・残高を示すデータを、前記照会者端末へ送信する提示部、として機能させるためのプログラム。
【請求項８】
口座管理装置および照会者端末を含む口座管理システムであって、
前記口座管理装置は、
口座名義人が指定する者が口座の入出金明細・残高を照会することを求める要求データを、前記照会者端末から受信する照会要求取得部と、
前記口座名義人が指定する者が前記口座の入出金明細・残高を照会することが可能であるか否かを判定する照会可否判定部と、
前記照会が可能であると判定されると、前記口座の入出金明細・残高を示すデータを、前記照会者端末へ送信する提示部と、を備え、
前記照会者端末は、
前記要求データを前記口座管理装置へ送信し、
前記口座の入出金明細・残高を示すデータを前記口座管理装置から受信する、口座管理システム。
【発明の詳細な説明】
【技術分野】
【０００１】
本発明は、口座を管理するための技術に関する。
【背景技術】
【０００２】
従来、銀行等の金融機関で口座が開設されると、紙の通帳が発行される。通帳には、口座へ入金された日付・入金額・取引内容、口座から出金された日付・出金額・取引内容、残高等（以下、入出金明細・残高ともいう）が記入される。
【０００３】
このような紙の通帳の代わりに、インターネット上で口座の入出金明細・残高を閲覧することができるサービスが提供されている（非特許文献１）。
【先行技術文献】
【非特許文献】
【０００４】
【非特許文献１】三菱ＵＦＪ銀行、"Ｅｃｏ通帳・Ｅｃｏ通知"、［online］、［平成３１年１月１７日検索］、インターネット（ＵＲＬ：https://www.bk.mufg.jp/tsukau/eco_tsuchou/index.html）
【発明の概要】
【発明が解決しようとする課題】
【０００５】
しかしながら、非特許文献１では、インターネット上で口座の入出金明細・残高を閲覧することができるのは、その口座の口座名義人だけである。そのため、口座名義人以外の者（例えば、家族）が入出金明細・残高を確認したい場合には、紙の通帳を閲覧するしかなかった。
【０００６】
そこで、本発明は、口座名義人が指定する者がインターネット上で口座名義人の口座の入出金明細・残高を閲覧することを目的とする。
【課題を解決するための手段】
【０００７】
本発明の一態様は、口座名義人が指定する者が口座の入出金明細・残高を照会することを求める要求データを、照会者端末から受信する照会要求取得部と、前記口座名義人が指定する者が前記口座の入出金明細・残高を照会することが可能であるか否かを判定する照会可否判定部と、前記照会が可能であると判定されると、前記口座の入出金明細・残高を示すデータを、前記照会者端末へ送信する提示部と、を備える。
【発明の効果】
【０００８】
本発明によれば、口座名義人が指定する者がインターネット上で口座名義人の口座の入出金明細・残高を閲覧することができる。
【図面の簡単な説明】
【０００９】
【図１】本発明の概要を説明するための図である。
【図２】本発明の一実施形態に係る口座管理システムの全体の構成図である。
【図３】本発明の一実施形態に係る口座管理装置の機能ブロック図である。
【図４】本発明の一実施形態に係る照会者情報格納部に格納されているデータの一例である。
【図５】本発明の一実施形態に係る家族情報格納部に格納されているデータの一例である。
【図６】本発明の一実施形態に係る照会者端末および口座名義人端末に表示される画面の一例である。
【図７】本発明の一実施形態に係る登録処理を示すシーケンス図である。
【図８】本発明の一実施形態に係る口座名義人による解除処理を示すシーケンス図である。
【図９】本発明の一実施形態に係る照会者による解除処理を示すシーケンス図である。
【図１０】本発明の一実施形態に係る入出金明細・残高照会処理を示すフローチャートである。
【図１１】本発明の一実施形態に係る口座管理装置のハードウェア構成を示すブロック図である。
【発明を実施するための形態】
【００１０】
以下、図面に基づいて本発明の実施の形態を説明する。
【００１１】
図１は、本発明の概要を説明するための図である。本発明では、図１に示されるように、照会者２（例えば、口座１の口座名義人３の家族）が、口座１の入出金明細・残高をインターネット上で閲覧（以下、照会ともいう）することができる。一方、口座名義人３は、口座１の入出金明細・残高の照会に限らず、口座１からの振込や振替等の金融機関との任意の取引をインターネット上で行うことができる。つまり、照会者２は、口座１のインターネットバンキングの取引のうち入出金明細・残高の照会のみが可能である。
【００１２】
図２は、本発明の一実施形態に係る口座管理システム１００の全体の構成図である。口座管理システム１００は、口座管理装置１０１、照会者端末１０２、口座名義人端末１０３を含む。以下、それぞれについて説明する。
【００１３】
口座管理装置１０１は、銀行等の金融機関で開設された口座の入出金明細・残高を、口座名義人が指定する者（例えば、家族。以下、照会者ともいう）に提示するための装置である。口座管理装置１０１は、１または複数のコンピュータからなる。口座管理装置１０１は、任意のネットワーク１０４を介して照会者端末１０２とデータを送受信することができる。また、口座管理装置１０１は、任意のネットワーク１０４を介して口座名義人端末１０３とデータを送受信することができる。後段で、図３を参照しながら、口座管理装置１０１について詳細に説明する。
【００１４】
照会者端末１０２は、照会者が利用する端末である。照会者端末１０２は、パーソナルコンピュータ、タブレット、スマートフォン等のコンピュータである。照会者端末１０２は、任意のネットワーク１０４を介して口座管理装置１０１とデータを送受信することができる。具体的には、照会者端末１０２は、口座名義人の口座の入出金明細・残高の照会を求める要求データを、口座管理装置１０１へ送信する。また、照会者端末１０２は、口座名義人の口座の入出金明細・残高を示すデータを、口座管理装置１０１から受信してディスプレイ等の表示手段に表示する。
【００１５】
口座名義人端末１０３は、口座名義人が利用する端末である。口座名義人端末１０３は、パーソナルコンピュータ、タブレット、スマートフォン等のコンピュータである。口座名義人端末１０３は、任意のネットワーク１０４を介して口座管理装置１０１とデータを送受信することができる。具体的には、口座名義人端末１０３は、照会者が口座名義人の口座の入出金明細・残高を照会できるようにするための登録処理を実行するよう求める要求データを、口座管理装置１０１へ送信する。上述のとおり、口座名義人は、口座の入出金明細・残高の照会に限らず、金融機関との任意の取引（例えば、振込、振替等）をインターネット上で行うことができる。
【００１６】
なお、本明細書では、照会者端末１０２と口座名義人端末１０３とを別々のコンピュータとして説明するが、照会者端末１０２と口座名義人端末１０３とを１つのコンピュータで実装するようにしてもよい。
【００１７】
図３は、本発明の一実施形態に係る口座管理装置１０１の機能ブロック図である。口座管理装置１０１は、口座登録部２０１、口座解除部２０２、照会要求取得部２０３、照会可否判定部２０４、提示部２０５、照会者情報格納部２０７を含む。また、口座管理装置１０１は、家族情報管理部２０６、家族情報格納部２０８を含む構成とすることもできる。口座管理装置１０１は、プログラムを実行することで、口座登録部２０１、口座解除部２０２、照会要求取得部２０３、照会可否判定部２０４、提示部２０５として機能する。また、口座管理装置１０１は、プログラムを実行することで、家族情報管理部２０６として機能する構成とすることもできる。以下、それぞれについて説明する。
【００１８】
口座登録部２０１は、口座名義人端末１０３からの要求に応じて、照会者が口座名義人の口座の入出金明細・残高を照会できるようにするための登録処理を実行する。具体的には、口座登録部２０１は、口座名義人端末１０３から、見せる（つまり、照会させる）口座を特定するための情報のデータを受信する。見せる口座を特定するための情報は、例えば、見せる口座の口座名義人名、見せる口座の口座情報（店番、種別（普通・当座）、口座番号）である。また、口座登録部２０１は、口座名義人端末１０３から、見せる相手（つまり、照会者）を特定するための情報のデータを受信する。見せる相手を特定するための情報は、例えば、照会者名、照会者の口座の口座情報（店番、種別、口座番号）である。口座登録部２０１は、口座名義人の口座の入出金明細・残高を照会できる照会者の情報を、照会者情報格納部２０７に格納する。
【００１９】
なお、口座登録部２０１は、口座名義人の口座の入出金明細・残高を照会できる者として、例えば、１人の照会者を登録することができる。ただし、口座登録部２０１が、口座名義人の口座の入出金明細・残高を照会できる者として、複数の照会者を登録する構成とすることもできる。
【００２０】
なお、口座登録部２０１は、見せる相手を特定するための情報として誤った情報（例えば、口座番号が間違っている等）を所定の回数受信した場合、所定の期間（例えば、当日）は登録処理を実行できない構成とすることもできる。
【００２１】
照会者情報格納部２０７は、口座名義人の口座の入出金明細・残高を照会することができる者（つまり、照会者）の情報を格納している。図４を参照しながら、照会者情報格納部２０７に格納されているデータについて詳細に説明する。
【００２２】
図４は、本発明の一実施形態に係る照会者情報格納部２０７に格納されている照会者情報３００の一例である。図４に示されるように、照会者情報３００は、口座ごとに、例えば、口座の口座名義人名、口座の口座情報（店番、種別、口座番号）、その口座の照会可否、その口座の入出金明細・残高を照会することができる照会者の情報、といった項目のデータを含む。
【００２３】
「口座名義人名」は、その口座（つまり、見せる口座）の口座名義人を特定するための情報（例えば、氏名）である。
【００２４】
「店番」は、その口座の取引店を特定するための情報である。
【００２５】
「種別」は、その口座の種別である。
【００２６】
「口座番号」は、その口座の口座番号である。
【００２７】
「照会可否」は、その口座の入出金明細・残高を口座名義人が指定する者に照会させることが許容されているか否かを判定するための情報が格納される。
【００２８】
＜判定方法１＞
例えば、「照会可否」に、その口座が入出金明細・残高を口座名義人が指定する者に照会させるサービスに登録済みか否かを示す情報を格納し、登録済みの場合に、その口座の入出金明細・残高を口座名義人が指定する者に照会させることが許容されていると判定するようにしてもよい。さらに、「照会可否」に、その口座がインターネットバンキングサービスを申し込み済みか否かを示す情報を格納し、申し込み済みの場合に、その口座の入出金明細・残高を口座名義人が指定する者に照会させることが許容されていると判定するようにしてもよい。さらに、「照会可否」に、その口座がインターネット上で口座の入出金明細・残高を閲覧することができるサービスを申し込み済みか否かを示す情報を格納し、申し込み済みの場合に、その口座の入出金明細・残高を口座名義人が指定する者に照会させることが許容されていると判定するようにしてもよい。
【００２９】
＜判定方法２＞
例えば、「照会可否」に、その口座の入出金明細・残高を口座名義人が指定する者に照会させることが許容されているか否かを示す情報を格納し、その口座の入出金明細・残高を口座名義人が指定する者に照会させることが許容されているか否かを判定するようにしてもよい。
【００３０】
「照会者名」は、その口座の入出金明細・残高を照会することができる照会者を特定するための情報（例えば、氏名）である。
【００３１】
「店番」は、その照会者の口座の取引店を特定するための情報である。
【００３２】
「種別」は、その照会者の口座の種別である。
【００３３】
「口座番号」は、その照会者の口座の口座番号である。
【００３４】
図３に戻る。口座解除部２０２は、口座名義人端末１０３または照会者端末１０２からの要求に応じて、照会者が口座名義人の口座の入出金明細・残高を照会できないようにするための解除処理を実行する。以下、＜口座名義人による処理＞と＜照会者による処理＞とに分けて説明する。
【００３５】
＜口座名義人による処理＞
口座解除部２０２は、口座名義人端末１０３から、解除する（つまり、照会者に照会させないようにする）口座を特定するための情報のデータを受信する。解除する口座を特定するための情報は、例えば、解除する口座の口座名義人名、解除する口座の口座情報（店番、種別、口座番号）である。また、口座解除部２０２は、口座名義人端末１０３から、解除する照会者を特定するための情報のデータを受信する。解除する照会者を特定するための情報は、例えば、照会者名、照会者の口座の口座情報（店番、種別、口座番号）である。口座解除部２０２は、照会者情報格納部２０７の照会者情報３００において、解除を要求された口座の、解除を要求された照会者による「照会可否（その口座が入出金明細・残高を口座名義人が指定する者に照会させるサービスに登録済みか否かを示す情報）」を登録済みから削除済みへ変更（あるいは、「照会可否」を"可"から"不可"へ変更）する。
【００３６】
＜照会者による処理＞
口座解除部２０２は、照会者端末１０２から、解除する（つまり、照会者が照会しないようにする）口座を特定するための情報のデータを受信する。解除する口座を特定するための情報は、例えば、解除する口座の口座名義人名、解除する口座の口座情報（店番、種別、口座番号）である。また、口座解除部２０２は、照会者端末１０２から、解除する照会者（つまり、解除を要求している者）を特定するための情報のデータを受信する。解除する照会者を特定するための情報は、例えば、照会者名、照会者の口座の口座情報（店番、種別、口座番号）である。口座解除部２０２は、照会者情報格納部２０７の照会者情報３００において、解除を要求された口座の、解除を要求された照会者による「照会可否（その口座が入出金明細・残高を口座名義人が指定する者に照会させるサービスに登録済みか否かを示す情報）」を登録済みから削除済みへ変更（あるいは、「照会可否」を"可"から"不可"へ変更）する。
【００３７】
このように、口座名義人は、自身の口座を見せるように登録したり、自身の口座を見せないように解除したりすることができる。また、照会者は、口座名義人によって見せられている口座を見ないように解除することができる。
【００３８】
照会要求取得部２０３、照会可否判定部２０４、提示部２０５は、照会者端末１０２からの要求に応じて、照会者が口座名義人の口座の入出金明細・残高の照会をするための照会処理を実行する。以下、それぞれについて説明する。
【００３９】
照会要求取得部２０３は、照会者端末１０２から、口座名義人の口座の入出金明細・残高の照会を求める要求データを受信する。具体的には、照会要求取得部２０３は、照会者端末１０２から、照会したい口座を特定するための情報のデータを受信する。照会したい口座を特定するための情報は、例えば、照会したい口座の口座名義人名、照会したい口座の口座情報（店番、種別、口座番号）である。また、照会要求取得部２０３は、照会者端末１０２から、照会者（つまり、照会しようとしている者）を特定するための情報のデータを受信する。照会者を特定するための情報は、例えば、照会者名、照会者の口座の口座情報（店番、種別、口座番号）である。照会要求取得部２０３は、取得したデータを照会可否判定部２０４が参照できるように任意のメモリに記憶する。
【００４０】
照会可否判定部２０４は、照会要求取得部２０３が取得した要求に基づいて、照会者が口座名義人の口座の入出金明細・残高を照会することができるか否かを判定する。具体的には、照会可否判定部２０４は、照会者情報格納部２０７を参照して、照会要求取得部２０３が取得した要求データで特定される照会者が、照会要求取得部２０３が取得した要求データで特定される口座の入出金明細・残高を照会することができるか否かを判定する。照会可否判定部２０４は、判定した結果を提示部２０５が参照できるように任意のメモリに記憶する。
【００４１】
提示部２０５は、照会可否判定部２０４による判定結果が照会可能であった場合、口座名義人の口座の入出金明細・残高を示すデータを照会者端末１０２へ送信する。そのため、口座名義人以外の者である照会者が、口座名義人の口座の入出金明細・残高を閲覧できるようになる。
【００４２】
＜家族情報の管理＞
家族情報管理部２０６は、家族情報を管理する。具体的には、家族情報管理部２０６は、口座名義人端末１０３または照会者端末１０２からの要求に応じて、家族を構成する者がそれぞれ所有する口座（つまり、図１の口座名義人３の口座、および、図１の１人または複数人の照会者２の口座）についての情報に、その家族を特定するための識別子を付与して、家族情報格納部２０８に格納する。
【００４３】
家族情報格納部２０８は、家族情報を格納している。図５を参照しながら、家族情報格納部２０８に格納されているデータについて詳細に説明する。
【００４４】
図５は、本発明の一実施形態に係る家族情報格納部２０８に格納されている家族情報４００の一例である。図５に示されるように、家族情報４００は、家族ごとに、例えば、その家族を構成する者がそれぞれ所有する口座の口座名義人、口座情報（店番、種別、口座番号）といった項目のデータを含む。図５の例では、家族ａｂｃは、ＡとＢとＣとＤとからなる家族である。
【００４５】
「家族識別子」は、家族を特定するための情報（識別子）である。
【００４６】
「口座名義人名」は、家族を構成する者の口座の口座名義人を特定するための情報（例えば、氏名）である。
【００４７】
「口座情報」は、家族を構成する者の口座の口座情報（店番、種別、口座番号）である。
【００４８】
図６は、本発明の一実施形態に係る照会者端末１０２および口座名義人端末１０３に表示される画面の一例である。口座管理装置１０１の提示部２０５は、照会者端末１０２や口座名義人端末１０３上に図６のような画面を表示することができる。
【００４９】
図６に示されるように、画面には、見せる口座（例えば、家族に見せる自分の口座）の情報と、その口座を見せる相手（例えば、家族のうち誰に自分の口座を見せるのか）の情報が含まれる（図６の上段）。また、画面には、自分が見ている口座（例えば、家族のうち誰の口座を見ているのか）の情報が含まれる（図６の中段）。なお、画面は、図６の下段のように、家族の口座（つまり、自分が見ている家族の口座と自分が見ていない家族の口座との両方を含む）の情報を含む構成とすることもできる。なお、自分の口座を見せる相手は、１人でもよいし複数人でもよい。また、自分が見ている口座は、１つの口座でもよいし複数の口座でもよい。
【００５０】
このように、本発明の一実施形態では、家族内で各々が所有している口座の入出金明細・残高を互いに照会することができ、照会可否の状況を容易に確認することができる。
【００５１】
図７は、本発明の一実施形態に係る登録処理を示すシーケンス図である。
【００５２】
ステップ１０１（Ｓ１０１）において、口座名義人端末１０３は、口座管理装置１０１へ、照会者が口座名義人の口座の入出金明細・残高を照会できるようにするための登録処理を実行するよう求める要求データを送信する。
【００５３】
ステップ１０２（Ｓ１０２）において、口座管理装置１０１は、Ｓ１０１で要求された登録処理を実行する。
【００５４】
ステップ１０３（Ｓ１０３）において、Ｓ１０２で登録された照会者による口座名義人の口座の入出金明細・残高の照会が可能になる。
【００５５】
図８は、本発明の一実施形態に係る口座名義人による解除処理を示すシーケンス図である。
【００５６】
ステップ２１１（Ｓ２１１）において、口座名義人端末１０３は、口座管理装置１０１へ、照会者が口座名義人の口座の入出金明細・残高を照会できないようにするための解除処理を実行するよう求める要求データを送信する。
【００５７】
ステップ２１２（Ｓ２１２）において、口座管理装置１０１は、Ｓ２１１で要求された解除処理を実行する。
【００５８】
ステップ２１３（Ｓ２１３）において、Ｓ２１２で解除された照会者による口座名義人の口座の入出金明細・残高の照会が不可能になる。
【００５９】
図９は、本発明の一実施形態に係る照会者による解除処理を示すシーケンス図である。
【００６０】
ステップ２２１（Ｓ２２１）において、照会者端末１０２は、口座管理装置１０１へ、照会者が口座名義人の口座の入出金明細・残高を照会できないようにするための解除処理を実行するよう求める要求データを送信する。
【００６１】
ステップ２２２（Ｓ２２２）において、口座管理装置１０１は、Ｓ２２１で要求された解除処理を実行する。
【００６２】
ステップ２２３（Ｓ２２３）において、Ｓ２２２で解除された照会者による口座名義人の口座の入出金明細・残高の照会が不可能になる。
【００６３】
図１０は、本発明の一実施形態に係る入出金明細・残高照会処理を示すフローチャートである。
【００６４】
ステップ３０１（Ｓ３０１）において、照会要求取得部２０３は、照会者端末１０２から、口座名義人の口座の入出金明細・残高の照会を求める要求データを受信する。
【００６５】
ステップ３０２（Ｓ３０２）において、照会可否判定部２０４は、Ｓ３０１で要求された照会が可能であるか否かを判定する。可能であればステップ３０３へ進み、不可能であればステップ３０４へ進む。
【００６６】
ステップ３０３（Ｓ３０３）において、提示部２０５は、照会者端末１０２へ、Ｓ３０１で要求された口座名義人の口座の入出金明細・残高を示すデータを送信する。
【００６７】
ステップ３０４（Ｓ３０４）において、提示部２０５は、照会者端末１０２へ、照会は不可能である旨のエラーを通知する。
【００６８】
図１１は、本発明の一実施形態に係る口座管理装置１０１のハードウェア構成を示すブロック図である。口座管理装置１０１は、ＣＰＵ（Central Processing Unit）１、ＲＯＭ（Read Only Memory）２、ＲＡＭ（Random Access Memory）３を有する。ＣＰＵ１、ＲＯＭ２、ＲＡＭ３は、いわゆるコンピュータを形成する。
【００６９】
また、口座管理装置１０１は、補助記憶装置４、表示装置５、操作装置６、Ｉ／Ｆ（Interface）装置７、ドライブ装置８を有する。なお、口座管理装置１０１の各ハードウェアは、バス９を介して相互に接続されている。
【００７０】
ＣＰＵ１は、補助記憶装置４にインストールされている各種プログラムを実行する演算デバイスである。
【００７１】
ＲＯＭ２は、不揮発性メモリである。ＲＯＭ２は、補助記憶装置４にインストールされている各種プログラムをＣＰＵ１が実行するために必要な各種プログラム、データ等を格納する主記憶デバイスとして機能する。具体的には、ＲＯＭ２はＢＩＯＳ（Basic Input/Output System）やＥＦＩ（Extensible Firmware Interface）等のブートプログラム等を格納する、主記憶デバイスとして機能する。
【００７２】
ＲＡＭ３は、ＤＲＡＭ（Dynamic Random Access Memory）やＳＲＡＭ（Static Random Access Memory）等の揮発性メモリである。ＲＡＭ３は、補助記憶装置４にインストールされている各種プログラムがＣＰＵ１によって実行される際に展開される作業領域を提供する、主記憶デバイスとして機能する。
【００７３】
補助記憶装置４は、各種プログラムや、各種プログラムが実行される際に用いられる情報を格納する補助記憶デバイスである。
【００７４】
表示装置５は、口座管理装置１０１の内部状態等を表示する表示デバイスである。
【００７５】
操作装置６は、口座管理装置１０１の管理者が口座管理装置１０１に対して各種指示を入力する入力デバイスである。
【００７６】
Ｉ／Ｆ装置７は、ネットワーク１０４に接続し、照会者端末１０２、口座名義人端末１０３と通信を行うための通信デバイスである。
【００７７】
ドライブ装置８は記憶媒体１０をセットするためのデバイスである。ここでいう記憶媒体１０には、ＣＤ−ＲＯＭ、フレキシブルディスク、光磁気ディスク等のように情報を光学的、電気的あるいは磁気的に記録する媒体が含まれる。また、記憶媒体１０には、ＥＰＲＯＭ (Erasable Programmable Read Only Memory)、フラッシュメモリ等のように情報を電気的に記録する半導体メモリ等が含まれていてもよい。
【００７８】
なお、補助記憶装置４にインストールされる各種プログラムは、例えば、配布された記憶媒体１０がドライブ装置８にセットされ、該記憶媒体１０に記録された各種プログラムがドライブ装置８により読み出されることでインストールされる。あるいは、補助記憶装置４にインストールされる各種プログラムは、Ｉ／Ｆ装置７を介して、ネットワーク１０４とは異なる他のネットワークよりダウンロードされることでインストールされてもよい。
【００７９】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００８０】
１  口座
２  照会者
３  口座名義人
１００  口座管理システム
１０１  口座管理装置
１０２  照会者端末
１０３  口座名義人端末
１０４  ネットワーク
２０１  口座登録部
２０２  口座解除部
２０３  照会要求取得部
２０４  照会可否判定部
２０５  提示部
２０６  家族情報管理部
２０７  照会者情報格納部
２０８  家族情報格納部
３００  照会者情報
４００  家族情報
【図１】
2020129249.tif 000003
【図２】
2020129249.tif 000004
【図３】
2020129249.tif 000005
【図４】
2020129249.tif 000006
【図５】
2020129249.tif 000007
【図６】
2020129249.tif 000008
【図７】
2020129249.tif 000009
【図８】
2020129249.tif 000010
【図９】
2020129249.tif 000011
【図１０】
2020129249.tif 000012
【図１１】
2020129249.tif 000013
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
口座名義人が指定する者が口座の入出金明細・残高を照会することを求める要求データを、照会者端末から受信する照会要求取得部と、
前記口座名義人が指定する者が前記口座の入出金明細・残高を照会することが可能であるか否かを判定する照会可否判定部と、
前記照会が可能であると判定されると、前記口座の入出金明細・残高を示すデータを、前記照会者端末へ送信する提示部と、を備え、
前記提示部は、口座名義人からの要求に応じて、前記口座名義人の口座の入出金明細・残高を照会することが可能である照会者の情報と、前記口座名義人が入出金明細・残高を照会することが可能である口座の情報と、を含む画面を表示する、口座管理装置。
【請求項２】
家族ごとに、前記家族を構成する者がそれぞれ所有する口座を管理する家族情報管理部をさらに備えた、請求項１に記載の口座管理装置。
【請求項３】
口座名義人端末からの要求に応じて、前記口座名義人が指定する者が前記口座名義人の口座の入出金明細・残高を照会できるようにするための登録処理を実行する口座登録部をさらに備えた、請求項１または２に記載の口座管理装置。
【請求項４】
前記口座名義人端末または前記照会者端末からの要求に応じて、前記口座名義人が指定する者が前記口座名義人の口座の入出金明細・残高を照会できないようにするための解除処理を実行する口座解除部をさらに備えた、請求項３に記載の口座管理装置。
【請求項５】
口座管理装置が実行する方法であって、
口座名義人が指定する者が口座の入出金明細・残高を照会することを求める要求データを、照会者端末から受信するステップと、
前記口座名義人が指定する者が前記口座の入出金明細・残高を照会することが可能であるか否かを判定するステップと、
前記照会が可能であると判定されると、前記口座の入出金明細・残高を示すデータを、前記照会者端末へ送信するステップと、
口座名義人からの要求に応じて、前記口座名義人の口座の入出金明細・残高を照会することが可能である照会者の情報と、前記口座名義人が入出金明細・残高を照会することが可能である口座の情報と、を含む画面を表示するステップと
を含む方法。
【請求項６】
コンピュータを
口座名義人が指定する者が口座の入出金明細・残高を照会することを求める要求データを、照会者端末から受信する照会要求取得部、
前記口座名義人が指定する者が前記口座の入出金明細・残高を照会することが可能であるか否かを判定する照会可否判定部、
前記照会が可能であると判定されると、前記口座の入出金明細・残高を示すデータを、前記照会者端末へ送信する提示部として機能させ、
前記提示部は、口座名義人からの要求に応じて、前記口座名義人の口座の入出金明細・残高を照会することが可能である照会者の情報と、前記口座名義人が入出金明細・残高を照会することが可能である口座の情報と、を含む画面を表示する、プログラム。
【請求項７】
口座管理装置および照会者端末を含む口座管理システムであって、
前記口座管理装置は、
口座名義人が指定する者が口座の入出金明細・残高を照会することを求める要求データを、前記照会者端末から受信する照会要求取得部と、
前記口座名義人が指定する者が前記口座の入出金明細・残高を照会することが可能であるか否かを判定する照会可否判定部と、
前記照会が可能であると判定されると、前記口座の入出金明細・残高を示すデータを、前記照会者端末へ送信する提示部と、を備え、
前記提示部は、口座名義人からの要求に応じて、前記口座名義人の口座の入出金明細・残高を照会することが可能である照会者の情報と、前記口座名義人が入出金明細・残高を照会することが可能である口座の情報と、を含む画面を表示し、
前記照会者端末は、
前記要求データを前記口座管理装置へ送信し、
前記口座の入出金明細・残高を示すデータを前記口座管理装置から受信する、口座管理システム。